(57)【要約】【課題】保管ケースからクリーニングディスクを取り出して直ぐに光ピックアップレンズを洗浄することができ、洗浄液を塗布する作業が不要なクリーニングディスク保管ケースを提供する。【解決手段】無蓋矩形箱状のケース２と、ケース２の上部に嵌着されており、洗浄液１ａを塗布して光ピックアップレンズを洗浄する洗浄部６ｂが形成されたクリーニングディスク６を保持するトレイ２ａとを備え、トレイ２ａは、洗浄部６ｂが圧接して洗浄液１ａを塗布する塗布部１０を有し、ケース２及びトレイ２ａは、トレイ２ａがケース２の上部を密閉して、洗浄液１ａの保存容器となっており、塗布部１０は、保存容器に充填された洗浄液１ａに浸漬して、クリーニングディスクの保管ケース１と洗浄液１ａの保存容器とを兼用している。【選択図】図７
2008280051.tif 000002
【特許請求の範囲】
【請求項１】
洗浄液を塗布して光ピックアップレンズを洗浄する洗浄部が形成されたクリーニングディスクを保持するトレイを備えるクリーニングディスク保管ケースにおいて、
前記トレイは、前記クリーニングディスクの下面と当接して該クリーニングディスクを保持し、前記洗浄液を前記洗浄部に塗布する塗布部を備えており、
前記洗浄液を保存する保存容器を有し、
前記トレイは、前記保存容器を閉塞しており、前記洗浄部が形成された位置に対応して、洗浄液を浸透させる前記塗布部を備えていることを特徴とするクリーニングディスク保管ケース。
【請求項２】
前記保存容器の底部は、
前記塗布部に対向する最深部と、
該最深部に向けて下降する傾斜面と
を有することを特徴とする請求項１に記載のクリーニングディスク保管ケース。
【請求項３】
前記トレイは、
前記クリーニングディスクの中央に穿設された穴に嵌入する円台と、
該円台と同心に形成された輪溝とを備え、  
前記塗布部は、前記輪溝に嵌着されていることを特徴とする請求項１又は２に記載のクリーニングディスク保管ケース。
【請求項４】
前記トレイは、
前記クリーニングディスクの中央に穿設された穴に嵌入する円台と、
該円台の近傍に穿設された孔とを備え、
前記塗布部は、前記孔に嵌着されていることを特徴とする請求項１又は２に記載のクリーニングディスク保管ケース。
【請求項５】
前記孔の下側を覆う蓋が、前記孔の周縁に蝶着されており、
前記蓋は、
該蓋を閉じるように付勢する付勢部と、
該蓋を開動作させるレバーと
を備え、
前記トレイは、前記レバーが下側から嵌入して突き出る嵌入孔を有することを特徴とする請求項４に記載のクリーニングディスク保管ケース。
【請求項６】
前記トレイは、前記洗浄液を充填する注入口を有することを特徴とする請求項１乃至５のいずれか一つに記載のクリーニングディスク保管ケース。
【発明の詳細な説明】
【技術分野】
【０００１】
本発明は、光ピックアップレンズを洗浄するためのクリーニングディスクを保管するクリーニングディスク保管ケースに関する。
【背景技術】
【０００２】
従来、記録再生する光学ドライブの光ピックアップレンズ（以下、「レンズ」という）に付着した汚れをとるために、レンズクリーナが利用されている。レンズクリーナには、主に、乾いた塵を除去する乾式と、油汚れ及びたばこの煙などによって付着した塵を除去する湿式とがある。レンズクリーナは、光ディスクの最内周のメディア識別時に必ずアクセスされるリードインエリアの位置に、洗浄部が形成されたクリーニングディスクであり、乾式の場合には、クリーニングディスクの洗浄部をレンズに接触させて塵を除去している。
【０００３】
湿式の場合には、洗浄液の入ったスポイト状の容器からクリーニングディスクの洗浄部に洗浄液を塗布して湿らせてから、レンズに接触させて塵を除去している（例えば、特許文献１参照）。
【特許文献１】実用新案登録第３０４７４８７号公報
【発明の開示】
【発明が解決しようとする課題】
【０００４】
しかしながら従来の湿式レンズクリーナでは、使用時に、クリーニングディスクの洗浄部に洗浄液を塗布しているため、クリーニングディスクを保管する保管ケースのトレイから取り出して迅速な使用ができず、また使用者の塗布行為という無駄な作業が生じている。
【０００５】
本発明は、このような事情に鑑みてなされたものであって、その目的とするところは、クリーニングディスクの保管ケースと洗浄液の保存容器とを兼用し、クリーニングディスクの保管と併せて洗浄部に洗浄液を塗布する構成を備えることにより、保管ケースからクリーニングディスクを取り出して直ぐに光ドライブに装填してレンズを洗浄することができ、洗浄液を塗布する作業が不要なクリーニングディスク保管ケースを提供することにある。
【０００６】
また本発明の他の目的とするところは、保管ケースの底部が最深部に向かう傾斜面を有する構成を備えることにより、洗浄液が底部の最深部に自然に貯まって塗布部を洗浄液に浸漬させ、保管ケースからクリーニングディスクを取り出して直ぐに光ドライブに装填してレンズを洗浄することができ、洗浄液を塗布する作業が不要なクリーニングディスク保管ケースを提供することにある。
【０００７】
さらに本発明の他の目的とするところは、クリーニングディスクの洗浄部が圧接する塗布部が輪状の構成を備えることにより、クリーニングディスクの洗浄部の円周方向の位置に依存しないで保管することができ、保管ケースからクリーニングディスクを取り出して直ぐに光ドライブに装填してレンズを洗浄することができ、洗浄液を塗布する作業が不要なクリーニングディスク保管ケースを提供することにある。
【０００８】
本発明の他の目的とするところは、クリーニングディスクの洗浄部が圧接する塗布部を各洗浄部に対応して設けた構成を備えることにより、洗浄部が塗布部に圧接して洗浄液を確実に塗布し、保管ケースからクリーニングディスクを取り出して直ぐに光ドライブに装填してレンズを洗浄することができ、洗浄液を塗布する作業が不要なクリーニングディスク保管ケースを提供することにある。
【０００９】
本発明の他の目的とするところは、クリーニングディスクの洗浄部が圧接して洗浄液を塗布する塗布部と洗浄液との接触を遮断する蓋を設けた構成を備えることにより、クリーニングディスクの使用中、塗布部を通して洗浄液が蒸発するのを抑え、保管ケースからクリーニングディスクを取り出して直ぐに光ドライブに装填してレンズを洗浄することができ、洗浄液を塗布する作業が不要なクリーニングディスク保管ケースを提供することにある。
【００１０】
本発明の他の目的とするところは、保管ケースに注入口を設けた構成を備えることにより、洗浄液を補充し、保管ケースからクリーニングディスクを取り出して直ぐに光ドライブに装填してレンズを洗浄することができ、洗浄液を塗布する作業が不要なクリーニングディスク保管ケースを提供することにある。
【課題を解決するための手段】
【００１１】
本発明のクリーニングディスク保管ケースは、洗浄液を塗布して光ピックアップレンズを洗浄する洗浄部が形成されたクリーニングディスクを保持するトレイを備えるクリーニングディスク保管ケースにおいて、前記トレイは、前記クリーニングディスクの下面と当接して該クリーニングディスクを保持し、前記洗浄液を前記洗浄部に塗布する塗布部を備えており、前記洗浄液を保存する保存容器を有し、前記トレイは、前記保存容器を閉塞しており、前記洗浄部が形成された位置に対応して、洗浄液を浸透させる前記塗布部を備えていることを特徴とする。
【００１２】
このような構成の本発明のクリーニングディスク保管ケースでは、クリーニングディスクをトレイに保持して保管する場合、クリーニングディスクの下面がトレイの上面に当接して、クリーニングディスクの洗浄部が塗布部に圧接し、洗浄液が浸透した塗布部は洗浄液を洗浄部に塗布する。
光ピックアップレンズを洗浄する場合、保管ケースからクリーニングディスクを取り出し、クリーニングディスクの洗浄部に洗浄液を塗布する作業をすることなく、直ぐに光ドライブに装填して光ピックアップレンズを洗浄する。
したがって、本発明のクリーニングディスク保管ケースでは、クリーニングディスクを保管する保管ケースと、洗浄液を保存する保存容器とを兼用し、光ピックアップレンズの洗浄をするとき、クリーニングディスクの洗浄部に洗浄液を塗布する作業が不要になる。
【００１３】
本発明のクリーニングディスク保管ケースは、前記保存容器の底部は、前記塗布部に対向する最深部と、該最深部に向けて下降する傾斜面とを有することを特徴とする。
【００１４】
このような構成の本発明のクリーニングディスク保管ケースでは、洗浄液が底部の傾斜面を下降し最深部に自然に貯まり、洗浄液が塗布部に浸透する。
【００１５】
本発明のクリーニングディスク保管ケースは、前記トレイは、前記クリーニングディスクの中央に穿設された穴に嵌入する円台と、該円台と同心に形成された輪溝とを備え、前記塗布部は、前記輪溝に嵌着されていることを特徴とする。
【００１６】
このような構成の本発明のクリーニングディスク保管ケースでは、輪溝の幅の範囲でクリーニングディスクの洗浄部の円周方向の位置に依存せず、洗浄部がトレイの塗布部に圧接して、塗布部が洗浄液を洗浄部に塗布し、トレイがクリーニングディスクを保持する。
【００１７】
本発明のクリーニングディスク保管ケースは、前記トレイは、前記クリーニングディスクの中央に穿設された穴に嵌入する円台と、該円台の近傍に穿設された孔とを備え、前記塗布部は、前記孔に嵌着されていることを特徴とする。
【００１８】
このような構成の本発明のクリーニングディスク保管ケースでは、クリーニングディスクの洗浄部の位置及び個数に対応して、洗浄部がトレイの塗布部に圧接し、塗布部が洗浄液を洗浄部に塗布する。
【００１９】
本発明のクリーニングディスク保管ケースは、前記孔の下側を覆う蓋が、前記孔の周縁に蝶着されており、前記蓋は、該蓋を閉じるように付勢する付勢部と、該蓋を開動作させるレバーとを備え、前記トレイは、前記レバーが下側から嵌入して突き出る嵌入孔を有することを特徴とする。
【００２０】
このような構成の本発明のクリーニングディスク保管ケースでは、クリーニングディスクを保管している場合、クリーニングディスクがレバーを押圧し、付勢部の付勢力に抗して、蓋が回動して開き、塗布部と洗浄液とが接触し、塗布部に洗浄液が浸透する。クリーニングディスクの洗浄部が塗布部に圧接して、塗布部が洗浄液を洗浄部に塗布する。
光ピックアップレンズを洗浄する場合、保管ケースからクリーニングディスクを取り出したとき、レバーへの押圧力が消滅し、付勢部の付勢力により、蓋が回動して閉まる。蓋は、塗布部と洗浄液との接触を遮断し、塗布部を通して生じる洗浄液の蒸発を抑える。
クリーニングディスクを取り出してから、クリーニングディスクの洗浄部に洗浄液を塗布する作業をすることなく、直ぐに光ドライブに装填して光ピックアップレンズを洗浄する。
【００２１】
本発明のクリーニングディスク保管ケースは、前記トレイは、前記洗浄液を充填する注入口を有することを特徴とする。
【００２２】
このような構成の本発明のクリーニングディスク保管ケースでは、洗浄液が減少した場合、注入口から洗浄液を補充する。
【発明の効果】
【００２３】
本発明のクリーニングディスク保管ケースは、クリーニングディスクの保管ケースと洗浄液の保存容器とを兼用し、クリーニングディスクの保管と併せて洗浄部に洗浄液を塗布しているので、光ピックアップレンズを洗浄する場合、保管ケースからクリーニングディスクを取り出し、クリーニングディスクの洗浄部に洗浄液を塗布する作業をすることなく、直ぐに光ドライブに装填して光ピックアップレンズを洗浄することができるという効果を有する。
【００２４】
本発明のクリーニングディスク保管ケースは、ケースの底部が最深部に向かう傾斜面を有しているので、洗浄液が底部の最深部に自然に貯まり、塗布部を洗浄液に浸漬させることができるという効果を有する。
【００２５】
本発明のクリーニングディスク保管ケースは、クリーニングディスクの洗浄部が圧接する塗布部が輪状であるので、輪溝の幅の範囲で洗浄部の円周方向の位置に依存せず、クリーニングディスクを保管することができるという効果を有する。
【００２６】
本発明のクリーニングディスク保管ケースは、クリーニングディスクの洗浄部が圧接する塗布部を各洗浄部に対応して設けているので、各洗浄部が各塗布部に圧接して洗浄液を確実に塗布することができるという効果を有する。
【００２７】
本発明のクリーニングディスク保管ケースは、クリーニングディスクの洗浄部が圧接して洗浄液を塗布する塗布部と洗浄液との接触を遮断する蓋を設けているので、クリーニングディスクの使用中、塗布部を通して洗浄液が蒸発するのを抑えることができるという効果を有する。
【００２８】
本発明のクリーニングディスク保管ケースは、保管ケースに注入口を設けているので、洗浄液を補充することができるという効果を有する。
【発明を実施するための最良の形態】
【００２９】
以下、図面に基づき、本発明によるクリーニングディスク保管ケースの好適な実施の形態を説明する。
（実施の形態１）
図１は実施の形態１に係るクリーニングディスクを保管していない状態における保管ケースの平面図、図２は保管ケースのカバーを開けた状態における図１のＩＩ−ＩＩ断面を示す側断面図、図３はクリーニングディスクの平面図、図４は図３のＩＶ−ＩＶ断面を示すクリーニングディスクの側断面図である。
実施の形態１に係るクリーニングディスク保管ケースは、クリーニングディスク６の保管ケース１と洗浄液１ａの保存容器とを兼用させたものであり、合成樹脂製である。保管ケース１は、無蓋直方体状のケース２と、クリーニングディスク６を保持するトレイ２ａと、トレイ２ａに保持されたクリーニングディスク６を覆う矩形板状のカバー４とを有する。
トレイ２ａは、矩形状の盆でなり、φ１２０ｍｍのクリーニングディスク６を保持可能であり、深さがクリーニングディスク６の厚さよりも少し深くなっている。トレイ２ａはケース２の上部に嵌着してケース２を閉塞しており、ケース２及びトレイ２ａにより洗浄液１ａの保存容器が形成されている。
【００３０】
トレイ２ａの中央部には、クリーニングディスク６の中央に穿設された穴６ａに嵌入可能な円台２ａ１が、トレイ２ａの下側から突出しており、円台２ａ１の下部はケース２の底部２ｄに達している。トレイ２ａの上面から円台２ａ１の天面までの高さは、クリーニングディスク６の厚さと同程度の寸法にしてあり、円台２ａ１の天面は、ケース２の周縁の上面より少し低くしている。さらにトレイ２ａには、輪溝状の取付溝２ａ２が円台２ａ１と同心に形成されており、円筒状の塗布部１０が取付溝２ａ２に嵌着されている。塗布部１０は吸水性及び弾力性に富むスポンジからなっている。
トレイ２ａの上面と塗布部１０の上面とは、面一にしており、取付溝２ａ２はクリーニングディスク６の洗浄部６ｂがある位置に対応して形成されている。取付溝２ａ２の幅は円盤状の洗浄部６ｂの直径よりも少し大きくしている。
【００３１】
ケース２の底部２ｄには、塗布部１０に対応させて輪溝状の最深部２ｄ１が形成されている。塗布部１０の下面は、最深部２ｄ１とわずかな隙間を有しており、円筒状の塗布部１０の内側と外側の洗浄液１ａが自然に流動するようにしている。
さらに底部２ｄは、ケース２の四つの内壁の各下縁２ｅから最深部２ｄ１へ向けて下降する傾斜面２ｄ３と、円台２ａ１の下部が達している中央の底部２ｄ２から最深部２ｄ１へ向けて下降する傾斜面２ｄ４とを有している。
【００３２】
カバー４の長手方向に平行な縁部４ａ１、４ａ２の各端部に、ケース２の高さと同程度の矩形平板４ｂ１、４ｂ２が下向きに対向して立設されており、矩形平板４ｂ１、４ｂ２の各中央部に円柱状の突起部４ｃ１、４ｃ２が内向きに突設されている。
ケース２の長手側の側部２ｂ１、２ｂ２の各端部に、カバー４の突起部４ｃ１、４ｃ２を嵌入させる嵌合部２ｃ１、２ｃ２が、内側に窪ませて形成されている。
嵌合部２ｃ１と突起部４ｃ１とにより一方のヒンジ５が形成され、嵌合部２ｃ２と突起部４ｃ２とにより他方のヒンジ５が形成されており、カバー４がヒンジ５、５によって開閉自在になっている。
【００３３】
洗浄液１ａの注入口２ａ３は、トレイ２ａのヒンジ５、５側の縁の中央の内側に形成されている。注入口２ａ３は、φ１０ｍｍ程度の雌螺子でなり、雄螺子状の蓋２ａ４で密閉可能になっている。
【００３４】
クリーニングディスク６には、厚さが１ｍｍ程度で直径がφ３ｍｍ程度の洗浄部６ｂ、６ｂが、クリーニングディスク６の中心に対して対称な位置であって、リードインエリアの位置に二個形成されている。洗浄部６ｂは、化学繊維又はフェルト等で形成されており、洗浄液１ａを必要量だけ吸収可能になっている。
【００３５】
次に実施の形態１に係る保管ケースの使用方法及び作用について説明する。
図５は実施の形態１に係るクリーニングディスクを保管した保管ケースの平面図、図６は保管ケースのカバーを開けたクリーニングディスクを保管していない状態における図５のＶＩ−ＶＩ断面を示す側断面図、図７はクリーニングディスクを保管した保管ケースの側断面図である。なお、図６中の白抜き矢印は、クリーニングディスク６を保管ケース１のトレイ２ａに取り付ける方向を示す。
先ず、保管ケース１のカバー４を開けた後、蓋２ａ４をマイナスのドライバーで取り外して、洗浄液１ａが注入口２ａ３からスポイトで保存容器に注入され、洗浄液１ａが塗布部１０に浸透する。洗浄液１ａを保存容器に充填後、注入口２ａ３に蓋２ａ４がねじ込まれて、注入口２ａ３が閉じられる。
【００３６】
次に、クリーニングディスク６の中央の穴６ａをトレイ２ａの円台２ａ１に嵌めて、クリーニングディスク６がトレイ２ａの上面に当接したとき、クリーニングディスク６の洗浄部６ｂ、６ｂが塗布部１０に圧接し、洗浄液１ａが塗布部１０から洗浄部６ｂ、６ｂに浸透する。塗布部１０は、輪状であるので、溝幅の範囲でクリーニングディスク６の円周方向の洗浄部６ｂ、６ｂの位置に依存せず、洗浄部６ｂが塗布部１０に圧接する。
洗浄部６ｂが塗布部１０に圧接したとき、クリーニングディスク６が、塗布部１０自体に蓋をした状態になり、塗布部１０から洗浄液１ａの蒸発を抑える。
次いで、カバー４を閉じて、クリーニングディスク６を保管ケース１に保管する。
【００３７】
そして、光ドライブの光ピックアップレンズを洗浄する場合、保管ケース１からクリーニングディスク６を取り出して、直ぐに光ドライブ（図示せず）に装填して光ピックアップレンズ（図示せず）を洗浄する。洗浄後は、クリーニングディスク６を上述したように保管ケース１に保管する。
【００３８】
洗浄液１ａは、ケース２の底部２ｄの傾斜面２ｄ３、２ｄ４に沿って自然に流動して最深部２ｄ１に貯まり、塗布部１０の下部と接触する。洗浄液１ａが塗布部１０に十分に浸透しない程度に減少した場合には、洗浄液１ａを注入口２ａ３から補充する。
【００３９】
このような構成の実施の形態１では、クリーニングディスク６の保管ケース１と洗浄液１ａの保存容器とを兼用しており、保管ケース１の塗布部１０に洗浄液１ａを浸透させ、クリーニングディスク６の洗浄部６ｂを塗布部１０に圧接させて、クリーニングディスク６を保管しているので、光ピックアップレンズの洗浄時に、保管ケース１からクリーニングディスク６を取り出して直ぐに光ドライブに装填して使用することができる。
したがって、実施の形態１では、ユーザがクリーニングディスク６に洗浄液１ａを塗布する作業が不要になり、使い勝手が格段に良くなる。
【００４０】
（実施の形態２）
実施の形態２では、クリーニングディスク６の洗浄部６ｂ、６ｂの位置に対応して、保管ケース１のトレイ２０に二箇所、円柱状の塗布部１０ａ、１０ｂを設けたものである。
図８は実施の形態２に係るクリーニングディスクを保管していない状態における保管ケースの平面図、図９は保管ケースのカバーを開けたクリーニングディスクを保管していない状態における図８のＩＸ−ＩＸ断面を示す側断面図、図１０はクリーニングディスクを保管した状態における保管ケースの側断面図である。なお、図９中の白抜き矢印は、クリーニングディスク６をトレイ２０に取り付ける方向を示す。
【００４１】
実施の形態２は、塗布部１０ａ、１０ｂの形態及びケース２の底部２ｄの形態が、実施の形態１と異なるだけで、他の構成は同じであり、実質的に同一部材には実施の形態１と同じ符号を付した。実施の形態２では、ケース２の底部２ｄに傾斜面２ｄ３、２ｄ４を設けず、平坦にしている。
トレイ２０は、実施の形態１と同様に、クリーニングディスク６の中央の穴６ａに嵌入可能な円台２ａ１を中央に有し、洗浄液１ａの注入口２ａ３が、トレイ２０のヒンジ５、５側の縁の中央の内側に形成されている。
【００４２】
円台２ａ１と注入口２ａ３とを通るトレイ２０の中心線上であって、円台２ａ１に対して対称な位置に、円孔の取付孔２０ａ１、２０ｂ１が形成されており、円柱状の塗布部１０ａ、１０ｂが、取付孔２０ａ１、２０ｂ１に嵌着されている。トレイ２０の上面と塗布部１０ａ、１０ｂの上面とは、面一にしている。塗布部１０ａ、１０ｂの厚さはトレイ２０の厚さ程度にしており、直径は洗浄部６ｂの直径より大きいφ５ｍｍにしている。
【００４３】
取付孔２０ａ１、２０ｂ１の下側には、円台２ａ１側方向に幅が狭くなる樹脂製で舌状の蓋２４ａ、２４ｂが、取付孔２０ａ１、２０ｂ１を覆って開閉可能に配設されている。
蓋２４ａ、２４ｂの円台２ａ１側の一端部に円柱形のレバー２４ａ１、２４ｂ１が上向きに立設されており、他端部にレバー２４ａ１、２４ｂ１の直径よりも大きい円盤状の蓋部２４ａ２、２４ｂ２が、上向きに設けられている。
蓋部２４ａ２、２４ｂ２の周縁の円台２ａ１と反対側には、取付孔２０ａ１、２０ｂ１の周縁の一部に蝶着されて、樹脂製で弾性力を持つ付勢部２４ａ３、２４ｂ３が形成されている。付勢部２４ａ３、２４ｂ３は、蓋部２４ａ２、２４ｂ２が取付孔２０ａ１、２０ｂ１の下側を押圧して閉じるように、弾性力を有して形成されており、レバー２４ａ１、２４ｂ１により下向きの押圧力を受けたとき、付勢部２４ａ３、２４ｂ３を回動軸にして、蓋部２４ａ２、２４ｂ２が開くようにしてある。
【００４４】
トレイ２０には、円台２ａ１側寄りに嵌入孔２０ａ２、２０ｂ２が穿設されており、レバー２４ａ１、２４ｂ１が、嵌入孔２０ａ２、２０ｂ２に下側から嵌入して、トレイ２０の上面から上方へ突き出ている。レバー２４ａ１、２４ｂ１は、トレイ２０の上面から円台２ａ１の高さまでの寸法よりも少し低く、即ち、クリーニングディスク６の厚さよりも少し低く突き出るようにしており、クリーニングディスク６がトレイ２０に保持されたとき、レバー２４ａ１、２４ｂ１がクリーニングディスク６により押圧されるようになっている。
【００４５】
次に実施の形態２の使用方法及び作用について説明する。
保存容器に洗浄液１ａを充填する方法は、実施の形態１と同様であるので、詳細な説明は省略する。
図９に示すように、クリーニングディスク６の中央の穴６ａをトレイ２０の円台２ａ１に嵌めていくとき、クリーニングディスク６が、レバー２４ａ１、２４ｂ１を下向きに押圧して、蓋２４ａ、２４ｂが付勢部２４ａ３、２４ｂ３を回動軸として徐々に回動して開いていき、洗浄液１ａが塗布部１０ａ、１０ｂに徐々に浸透していく。
【００４６】
クリーニングディスク６がトレイ２０の上面に当接したとき、蓋２４ａ、２４ｂが全開して、クリーニングディスク６の洗浄部６ｂ、６ｂが、塗布部１０ａ、１０ｂに圧接する。
蓋２４ａ、２４ｂが全開したとき、塗布部１０ａ、１０ｂが洗浄液１ａに完全に接触し、洗浄液１ａが、塗布部１０ａ、１０ｂから洗浄部６ｂ、６ｂに適量染みこむ。
【００４７】
クリーニングディスク６の洗浄部６ｂ、６ｂが塗布部１０ａ、１０ｂに圧接したとき、クリーニングディスク６が、塗布部１０ａ、１０ｂ自体に蓋をした状態になり、塗布部１０ａ、１０ｂから洗浄液１ａの蒸発を抑える。
次いで、カバー４を閉じて、クリーニングディスク６を保管ケース１に保管しているとき、クリーニングディスク６の洗浄部６ｂ、６ｂには、常時、洗浄液１ａが適量だけ染み込んでいる。
【００４８】
そして、光ドライブの光ピックアップレンズを洗浄する場合、保管ケース１からクリーニングディスク６を取り出し、直ぐに光ドライブ（図示せず）に装填して光ピックアップレンズ（図示せず）を洗浄する。
クリーニングディスク６を保管ケース１から取り出したとき、レバー２４ａ１、２４ｂ１への押圧力が消滅し、付勢部２４ａ３、２４ｂ３の弾性力により蓋２４ａ、２４ｂが、取付孔２０ａ１、２０ｂ１を閉じて、塗布部１０ａ、１０ｂと洗浄液１ａとの接触を遮断し、塗布部１０ａ、１０ｂを通して洗浄液１ａが蒸発していくことを防止する。
【００４９】
光ピックアップレンズの洗浄後は、クリーニングディスク６を上述したように保管ケース１に保管する。
洗浄液１ａが減少した場合には、洗浄液１ａを適宜注入口２ａ３から補充する。
【００５０】
このような構成の実施の形態２では、光ピックアップレンズの洗浄時に、保管ケース１からクリーニングディスク６を取り出して直ぐに光ドライブに装填して使用することができる。さらに光ピックアップレンズの洗浄中に、保管ケース１の塗布部１０ａ、１０ｂは、蓋２４ａ、２４ｂにより洗浄液１ａとの接触が遮断されているので、塗布部１０ａ、１０ｂを通じて洗浄液１ａが蒸発していくことを防止することができる。また塗布部１０ａ、１０ｂの開口面が、溝状の塗布部に比べてわずかであるので、洗浄液１ａの蒸発量を抑えることができる。
【００５１】
なお、実施の形態１では、塗布部１０と最深部２ｄ１との間に隙間を設けているが、塗布部１０の下面を最深部２ｄ１に接触させるようにしてもよい。
また実施の形態２では、樹脂製の弾性変形可能な付勢部２４ａ３、２４ｂ３を設けたが、付勢部２４ａ３、２４ｂ３にヒンジ機構を設け、レバー２４ａ１、２４ｂ１の下部に付勢バネを配設し、付勢バネにより蓋２４ａ、２４ｂを閉じるようにしてもよい。さらに蓋２４ａ、２４ｂは、樹脂製にしたが、硬質ゴム製であってもよい。
【図面の簡単な説明】
【００５２】
【図１】実施の形態１に係るクリーニングディスクを保管していない状態における保管ケースの平面図である。
【図２】保管ケースのカバーを開けた状態における図１のＩＩ−ＩＩ断面を示す側断面図である。
【図３】クリーニングディスクの平面図である。
【図４】図３のＩＶ−ＩＶ断面を示すクリーニングディスクの側断面図である。
【図５】実施の形態１に係るクリーニングディスクを保管した状態における保管ケースの平面図である。
【図６】保管ケースのカバーを開けたクリーニングディスクを保管していない状態における図５のＶＩ−ＶＩ断面を示す側断面図である。
【図７】クリーニングディスクを保管した状態における保管ケースの側断面図である。
【図８】実施の形態２に係るクリーニングディスクを保管していない状態における保管ケースの平面図である。
【図９】保管ケースのカバーを開けたクリーニングディスクを保管していない状態における図８のＩＸ−ＩＸ断面を示す側断面図である。
【図１０】クリーニングディスクを保管した状態における保管ケースの側断面図である。
【符号の説明】
【００５３】
１  保管ケース
１ａ  洗浄液
２  ケース
２ａ  トレイ
２ａ１  円台
２ａ２  取付溝（輪溝）
２ａ３  注入口
２ｄ  底部
２ｄ１  最深部
６  クリーニングディスク
６ａ  クリーニングディスクの中央の穴
６ｂ  洗浄部
１０、１０ａ、１０ｂ  塗布部
２０ａ１、２０ｂ１  取付孔（孔）
２０ａ２、２０ｂ２  嵌入孔
２４ａ、２４ｂ  蓋
２４ａ１、２４ｂ１  レバー
２４ａ２、２４ｂ２  蓋部
【図１】
2008280051.tif 000003
【図２】
2008280051.tif 000004
【図３】
2008280051.tif 000005
【図４】
2008280051.tif 000006
【図５】
2008280051.tif 000007
【図６】
2008280051.tif 000008
【図７】
2008280051.tif 000009
【図８】
2008280051.tif 000010
【図９】
2008280051.tif 000011
【図１０】
2008280051.tif 000012